(57)【要約】      （修正有）【課題】ペットの遠隔後見を実現できるペットの後見器を提供する。【解決手段】ペットの後見器は、内室が中空であるハウジングを有し、ハウジングには、回転ユニット２００、給餌ユニット３００、及び制御ユニット４００が設けられ、回転ユニットは、撮影モジュール及びレーザーペンを有し、制御ユニットは、制御ボード４２０と、コアボード４１０と、移動端末４３０にインストールしたＡＰＰとを含み、撮影モジュールは、ペットの映像を撮影して、移動端末におけるＡＰＰに伝送し、ユーザーはＡＰＰを介してペットの映像を観察し、制御ユニットに給餌又はあやせの命令を送信し、制御ユニットは、命令を受信して給餌ユニットが給餌するように制御し、又はレーザーペンを制御してあやせる。クトの間に、自動給餌・奨励する機能も実現できる。【選択図】図２
0003221940.tif 000002
【実用新案登録請求の範囲】
【請求項１】
内室が中空であるハウジングを有するペットの後見器であって、前記ハウジングには、回転ユニット、給餌ユニット、及び制御ユニットが設けられ、前記回転ユニットの中には、撮影モジュール及びレーザーペンが設けられ、前記制御ユニットは、コアボードと、制御ボードと、移動端末にインストールしたＡＰＰとを含み、前記撮影モジュールは、ペットの映像を撮影して、移動端末におけるＡＰＰに伝送し、ユーザーはＡＰＰを介してペットの映像を観察し、前記制御ユニットに給餌又はあやせの命令を送信し、前記制御ユニットは、命令を受信して前記給餌ユニットが給餌するように制御し、又は前記レーザーペンを制御してあやせることを特徴とするペットの後見器。
【請求項２】
前記回転ユニットは、前記ハウジングに対して回動可能な回転ケースと、この回転ケースを回転するように駆動し、且つ、前記ハウジング内に設けられた第１モーターと、前記回転ケースの回転範囲を制御するタッチスイッチとを備える回転モジュールをさらに有し、前記第１モーター、前記タッチスイッチ、前記撮影モジュール、及び前記レーザーペンは、前記制御ボードとそれぞれ電気的に接続され、前記タッチスイッチの位置制限の制御の下で、前記第１モーターは前記回転ケースが一定の範囲内で回動するように駆動することを特徴とする請求項１に記載のペットの後見器。
【請求項３】
ハウジングの一側面には切欠きが掘られており、前記回転ユニットは前記切欠きの箇所に回動可能に取り付けられ、前記ハウジングの室内には、前記給餌ユニット、前記制御ユニット、及びホーンが設けられ、前記制御ユニットのコアボードは、前記制御ユニットの制御ボードと電気的に接続され、前記コアボードは、前記給餌ユニット及び前記ホーンと電気的に接続され、前記制御ボードは、前記回転ユニットと電気的に接続されることを特徴とする請求項１に記載のペットの後見器。
【請求項４】
前記ハウジングの端面には、凹溝と、この凹溝をカバーし、且つ、前記ハウジングの係止バネと接続する盤フタと、ホーン孔とが設けられ、前記凹溝の底面及び円周面には、前記ハウジングを貫通する第１スルーホール及び第２スルーホールがそれぞれ掘られ、前記ホーンは、前記ホーン孔の上方に位置し、前記ホーンから発したオーディオは、前記ホーン孔を介して放散され、ペット所有者とペットとの間のオーディオインタラクティブのために用いられることを特徴とする請求項３に記載のペットの後見器。
【請求項５】
前記給餌ユニットは、前記凹溝内に設けられた分離トレイと、この分離トレイに設けられたカバープレートと、前記第２スルーホール内に設けられたトレイ漏斗と、前記分離トレイと係合される伝達ロッドと、この伝達ロッドを回動するように駆動し、且つ、前記コアボードと電気的に接続される第２モーターとを備え、前記分離トレイには、複数の分離溝が均一に分割され、前記伝達ロッドは、前記第１スルーホールを通り抜いて前記分離トレイと係合され、前記第２モーターは、前記伝達ロッドを回動するように駆動して、前記分離トレイを前記凹溝に対して回動させることを特徴とする請求項４に記載のペットの後見器。
【請求項６】
前記給餌ユニットは、前記伝達ロッドを回動するように制御する制御モジュールをさらに備え、前記制御モジュールは、前記伝達ロッドに設けられたスター部材と、前記コアボードと電気的に接続される検知部材とを備え、前記第２モーターは、前記伝達ロッドを回動するように駆動し、前記スター部材も伴って同期的に回動し、前記スター部材の延伸部が前記検知部材の検知範囲に位置する場合、前記第２モーターは回動を止めることを特徴とする請求項５に記載のペットの後見器。
【請求項７】
充電ポートと、電源表示灯と、電源スイッチとをさらに備え、前記充電ポート、前記電源表示灯、及び前記電源スイッチは、前記制御ボードとそれぞれ電気的に接続されることを特徴とする請求項１に記載のペットの後見器。
【考案の詳細な説明】
【技術分野】
【０００１】
本考案は、ペット用品の技術分野に関し、特に、ペットの後見器に関する。
【背景技術】
【０００２】
今日の社会では、多くの家庭がペット、特にペット犬の飼育を楽しんでいる。人々はペットと過ごす間、感情的な繋がりが深くなった。ペットは今では既に中国の多くの家庭で不可欠な一部となっている。データによると、中国のペット数は急速に増加しており、２００４から２０１３年の間に約９００％にも増加した。
【０００３】
ペットの数が増え続けるにつれて、いろんな問題もだんだん現在化している。例えば、人が外出した時、ペットは一人で部屋に残られ、孤独で退屈することは避けられない。現在市販されるほとんどのペット用品は、主人が家にない時にペットによって引き起こされる不機嫌を解決できない。ペットは不安感や、いらいら等の不機嫌を抱きやすい。その時、ペットはあちこちに飛び跳ね、隣人を邪魔するように恣意的に音を立てることになり、ひいてはペットは一定な攻撃性を表し、或いはいくつかの物品を破壊し、深刻な場合に事故を引き起こして、ペットを傷付けることになる。
【０００４】
従って、如何して合理的で安全にペットに対する監視、インタラクティブ、及び給餌を行うことが解決すべき緊急の問題となる。
【考案の概要】
【考案が解決しようとする課題】
【０００５】
本考案は、上記の技術問題を解決するために、ペットの遠隔後見を実現できるペットの後見器を提供する。従って、ペットの不安感や、いらいら等の不機嫌が監視された場合、遠隔の音声通話、異なる効果音の放送、又はレーザーペン等によるインタラクティブ方式によってペットをあやすことができる。また、このペットの後見器は、自動給餌・奨励する機能も実現できる。
【課題を解決するための手段】
【０００６】
この考案は、技術的解決策として、内室が中空であるハウジングを有し、前記ハウジングには、回転ユニット、給餌ユニット、及び制御ユニットが設けられ、前記回転ユニットの中には、撮影モジュール及びレーザーペンが設けられ、前記制御ユニットは、コアボードと、制御ボードと、移動端末にインストールしたＡＰＰとを含み、前記撮影モジュールは、ペットの映像を撮影して、移動端末におけるＡＰＰに伝送し、ユーザーはＡＰＰを介してペットの映像を観察し、前記制御ユニットに給餌又はあやせの命令を送信し、前記制御ユニットは、命令を受信して前記給餌ユニットが給餌するように制御し、又は前記レーザーペンを制御してあやせるペットの後見器を提供する。本考案は、上記した部材の配置によって、ペットの監視、追跡、あやせ、及び自動給餌等の機能を実現し、ペット所有者の愛をペットに感じさせ、ペット所有者は外出後にペットのことを心配しなくてもよい。
【０００７】
好ましくは、前記回転ユニットは、前記ハウジングに対して回動可能な回転ケースと、この回転ケースを回転するように駆動し、且つ、前記ハウジング内に設けられた第１モーターと、前記回転ケースの回転範囲を制御するタッチスイッチとを備える回転モジュールをさらに有し、前記撮影モジュール及び前記レーザーペンは前記回転ケース内に設けられ、前記第１モーター、前記タッチスイッチ、前記撮影モジュール、及び前記レーザーペンは、前記制御ボードとそれぞれ電気的に接続される。なお、前記タッチスイッチの位置制限の制御の下で、前記第１モーターは前記回転ケースが一定の範囲内で回動するように駆動し、設定の範囲内で前記撮影モジュールによってペットの探索や、追跡を実現し、同時に、前記レーザーペンによってペットをあやす。
【０００８】
好ましくは、ハウジングの一側面には切欠きが掘られており、前記回転ユニットは前記切欠きの箇所に回動可能に取り付けられ、前記ハウジングの室内には、前記給餌ユニット、前記制御ユニット、及びホーンが設けられ、前記制御ユニットのコアボードは、前記制御ユニットの制御ボードと電気的に接続され、前記コアボードは、前記給餌ユニット及び前記ホーンと電気的に接続され、前記制御ボードは、前記回転ユニットと電気的に接続される。
【０００９】
好ましくは、前記ハウジングの端面には、凹溝と、この凹溝をカバーし、且つ、前記ハウジングの係止バネと接続する盤フタと、ホーン孔とが設けられ、前記凹溝の底面及び円周面には、前記ハウジングを貫通する第１スルーホール及び第２スルーホールがそれぞれ掘られ、前記ホーンは、前記ホーン孔の上方に位置し、前記ホーンから発したオーディオは、前記ホーン孔を介して放散され、ペット所有者とペットとの間のオーディオインタラクティブのために用いられる。
【００１０】
好ましくは、前記給餌ユニットは、前記凹溝内に設けられた分離トレイと、この分離トレイに設けられたカバープレートと、前記第２スルーホール内に設けられたトレイ漏斗と、前記分離トレイと係合される伝達ロッドと、この伝達ロッドを回動するように駆動し、且つ、前記コアボードと電気的に接続される第２モーターとを備え、前記分離トレイには、複数の分離溝が均一に分割され、前記伝達ロッドは、前記第１スルーホールを通り抜いて前記分離トレイと係合され、前記第２モーターは、前記伝達ロッドを回動するように駆動して、前記分離トレイを前記凹溝に対して回動させる。
【００１１】
好ましくは、前記給餌ユニットは、前記伝達ロッドを回動するように制御する制御モジュールをさらに備え、前記制御モジュールは、前記伝達ロッドに設けられたスター部材と、前記コアボードと電気的に接続される検知部材とを備え、前記第２モーターは、前記伝達ロッドを回動するように駆動し、前記スター部材も伴って同期的に回動し、前記スター部材の延伸部が前記検知部材の検知範囲に位置する場合、前記第２モーターは回動を止める。
【００１２】
好ましくは、充電ポートと、電源表示灯と、電源スイッチとをさらに備え、前記充電ポート、前記電源表示灯、及び前記電源スイッチは、前記制御ボードとそれぞれ電気的に接続される。
【考案の効果】
【００１３】
本考案は、次のような有利な効果を有する。即ち、ペット所有者は移動端末におけるＡＰＰによって前記コアボードに信号を送信することができ、前記制御ボードによって前記回転ユニットを回転するように制御し、前記撮影モジュールはペットの映像を探索、追跡、撮影して、移動端末におけるＡＰＰに伝送する。ペット所有者はＡＰＰを介してペットの映像を観察し、前記ホーンによってペット所有者のオーディオ信号を放送し、ペットとインタラクトし、ペットを慰める。また、ペット所有者は、前記制御ユニットに給餌又はあやせの命令を送信し、前記制御ユニットは、命令を受信して前記給餌ユニットが給餌するように制御し、又は前記レーザーペンを制御してあやせる。本考案は、上記の部材の配置によって、ペット所有者のペットに対する監視、追跡、あやせ、及び自動給餌等の機能を実現し、ペット所有者の愛をペットに感じさせ、ペット所有者は外出後にペットのことを心配しなくてもよい。
【図面の簡単な説明】
【００１４】
【図１】本考案によるペットの後見器の立体構造模式図である。
【図２】本考案によるペットの後見器の分解模式図である。
【図３】本考案によるペットの後見器の回転ユニットの分解模式図である。
【考案を実施するための形態】
【００１５】
本考案の考案目的、技術手段及び技術的効果をより明瞭化するために、以下、具体的な実施形態と組み合わせながら本考案をさらに説明する。なお、ここで説明する具体的な実施例は、単に本考案を解釈するためのものであり、本考案を限定するためのものではないことは理解すべきである。
【００１６】
図１及び図２に示すように、ペットの後見器は、内室が中空であるハウジング１００を有し、前記ハウジング１００の一側面には切欠き１１０が掘られており、この切欠き１１０の箇所には回転ユニット２００が回動可能に取り付けられている。前記ハウジング１００の室内には、給餌ユニット３００、制御ユニット４００、及びホーン５００が設けられている。
【００１７】
図２及び図３を参照すると、前記回転ユニット２００内には、撮影モジュール２１０及びレーザーペン２２０が設けられている。前記制御ユニット４００は、コアボード４１０と、制御ボード４２０と、移動端末４３０にインストールしたＡＰＰとを含む。前記撮影モジュール２１０は、ペットの映像を撮影して、移動端末４３０におけるＡＰＰに伝送し、ユーザーはＡＰＰを介してペットの映像を観察し、前記制御ユニット４００に給餌又はあやせの命令を送信し、前記制御ユニット４００は、命令を受信して前記給餌ユニット３００を給餌するように制御し、又は前記レーザーペン２２０を制御してあやせる。
【００１８】
好ましくは、図１を参照すると、前記ペットの後見器は、さらに、充電ポート６００と、電源表示灯７００と、電源スイッチ８００とを備え、前記充電ポート６００、前記電源表示灯７００、及び前記電源スイッチ８００は、前記制御ボード４２０とそれぞれ電気的に接続される。ペットへのお供及び給餌が必要である場合、ペット所有者は、移動端末４３０におけるＡＰＰを介して前記コアボード４１０に信号を送信し、前記コアボード４１０は信号を受信した後、前記制御ボード４２０によって前記回転ユニット２００を回転するように制御して、ペットの探索、追跡、撮影の機能を前記回転ユニット２００に容易に実現させることができる。リアルタイムでの監視状況は、前記コアボード４１０を介して移動端末４３０におけるＡＰＰにフィードバックすることができ、ペット所有者は、ペットの具体的表現に従って、移動端末４３０におけるＡＰＰを介して前記コアボード４１０に信号を送信し、前記コアボード４１０は信号を受信した後、一方で、ホーン５００により、ペット所有者とペットとの間でのオーディオインタラクティブのためのペット所有者のオーディオ信号を送信し、容易にペットへのお供や慰めを行うことができ、他方で、前記制御ユニット４００に給餌又はあやせの命令を送信する。前記制御ユニット４００は、命令を受信すると、前記給餌ユニット３００を制御して給餌を奨励させ、又は前記レーザーペン２２０を制御してあやせる。本考案は、上記の部材の配置によって、ペット所有者のペットに対する監視、追跡、あやせ、及び自動給餌等の機能を実現し、ペット所有者の愛をペットに感じさせ、ペット所有者は外出後にペットのことを心配しなくてもよい。
【００１９】
図３に示すように、前記回転ユニット２００は、さらに回転モジュール２３０を備え、前記回転モジュール２３０は、前記ハウジング１００に対して回動可能な回転ケース２３１と、この回転ケースを回転するように駆動し、且つ、前記ハウジング１００内に設けられた第１モーター２３２と、前記回転ケース２３１の回転範囲を制御するタッチスイッチ２３３とを備え、前記撮影モジュール２１０及び前記レーザーペン２２０は前記回転ケース２３１内に設けられ、前記第１モーター２３２、前記タッチスイッチ２３３、前記撮影モジュール２１０、及び前記レーザーペン２２０は、前記制御ボード４２０とそれぞれ電気的に接続され、使用過程において、ペット所有者が移動端末４３０におけるＡＰＰを介して前記コアボード４１０に信号を送信した後、前記コアボード４１０は光結合によって位置検出を行うと共に、前記制御ボード４２０に信号を出力し、前記制御ボード４２０は前記第１モーター２３２を起動し、前記第１モーター２３２は、前記回転ケース２３１を前記タッチスイッチ２３３の位置制限範囲内で回動するように駆動し、設定された範囲内で前記撮影モジュール２１０によるペットの探索、追跡、及び撮影を実現する。前記コアボード４１０が前記制御ボード４２０に前記回転ケース２３１を回転させる信号を送信すると同時に、さらに前記制御ボード４２０によって前記レーザーペン２２０と接続されるサーボを動くように制御して、サーボの動きにより前記レーザーペン２２０から投射される光線を動かし、ペットの注意を引き起して、ペットの探索を容易にし、ペットとの良好なインタラクティブ効果を形成することができる。
【００２０】
図２及び図３に示すように、前記制御ユニット４００のコアボード４１０は、前記制御ユニット４００の制御ボード４２０と電気的に接続され、前記コアボード４１０は、前記給餌ユニット３００及び前記ホーン５００と電気的に接続され、前記制御ボード４２０は前記回転ユニット２００と電気的に接続される。
【００２１】
図２に示すように、前記ハウジング１００の端面には、凹溝１２０と、この凹溝１２０をカバーし、且つ、前記ハウジング１００の係止バネと接続される盤フタ１３０と、ホーン孔１４０とが設けられている。前記凹溝１２０の底面及び円周面には、前記ハウジング１００を貫通する第１スルーホール１５０及び第２スルーホール１６０がそれぞれ掘られている。前記ホーン５００は、前記ホーン孔１４０の上方に位置し、前記ホーン５００から発したオーディオは、前記ホーン孔１４０を介して放散され、ペット所有者とペットとの間のオーディオインタラクティブのために用いられ、容易にペットをあやせ、お供、及び慰めを行う。
【００２２】
さらに、前記給餌ユニット３００は、前記凹溝１２０内に設けられた分離トレイ３１０と、この分離トレイに設けられたカバープレート３２０と、前記第２スルーホール１６０内に設けられたトレイ漏斗３３０と、前記分離トレイ３１０と係合される伝達ロッド３４０と、この伝達ロッド３４０を回動するように駆動し、且つ、前記コアボード４１０と電気的に接続される第２モーター３５０とを備え、前記分離トレイ３１０には、複数の分離溝３６０が均一に分割され、前記伝達ロッド３４０は、前記第１スルーホール１５０を通り抜いて前記分離トレイ３１０と係合され、前記第２モーター３５０は、前記伝達ロッド３４０を回動するように駆動して、前記分離トレイ３１０を前記凹溝１２０に対して回動させ、ペットに給餌するためのスナックが次第に前記分離溝３６０中に置かれ、前記分離トレイ３１０の回動に伴って、ペットに給餌するためのスナックも前記凹溝１２０内で回動することになる。
【００２３】
さらに、前記給餌ユニット３００は、前記伝達ロッド３４０を回動するように制御する制御モジュール３７０をさらに備え、前記制御モジュール３７０は、前記伝達ロッド３４０に設けられたスター部材３７１と、前記コアボード４１０と電気的に接続される検知部材３７２とを備える。ペットの表現が良好である場合、ペット所有者は、移動端末４３０におけるＡＰＰを介して前記コアボード４１０に信号を送信することができる。前記コアボード４１０は信号を受信すると、前記第２モーター３５０を起動する。前記第２モーター３５０は、前記伝達ロッド３４０を回動するように駆動し、前記スター部材３７１も伴って同期的に回動する。前記分離溝３６０が前記第２スルーホール１６０と対向する時、前記分離溝３６０に格納した食品は、前記トレイ漏斗３３０を通して滑り落ちる。前記スター部材３７１の延伸部が前記検知部材３７２の検知範囲に位置する時、前記第２モーター３５０は回動を止める。ペットに再給餌する必要がある場合、上記の操作を繰り返せばよい。ここでは、さらに繰り返して説明しない。
【００２４】
本考案の動作原理は次の通りである。即ち、ユーザーは外出する前に、食品を前記分離溝３６０内に入れ、前記電源スイッチ８００をオンして前記電源表示灯７００を正常状態にする。ユーザーが移動端末４３０におけるＡＰＰを利用して前記ペットの後見器に自動的接続した後、前記コアボード４１０に信号を送信する。前記コアボード４１０は光結合によって位置検出を行うと共に、前記制御ボード４２０に信号を出力し、前記第１モーター２３２は前記回転ケース２３１を前記タッチスイッチ２３３の位置制限範囲内で回動するように駆動し、前記撮影モジュール２１０によってペットを探索、追跡、及び撮影する。一方、前記制御ボード４２０は、前記レーザーペン２２０に接続されたサーボを動くように制御して、サーボの動きにより前記レーザーペン２２０から投射される光線を動かし、ペットの注意を引き起こして、ペットとの良好なインタラクティブ効果を形成することができる。また、リアルタイムでの監視状況は、前記コアボード４１０を介して移動端末４３０におけるＡＰＰにフィードバックすることができ、ユーザーは、ペットの具体的表現に従って、移動端末４３０におけるＡＰＰを介して前記コアボード４１０に信号を送信し、前記コアボード４１０が信号を受信した後、前記ホーン５００によってペット所有者のオーディオ信号を送信して、ペット所有者とペットとの間のオーディオインタラクティブを実現し、ペットへのお供及び慰めを行うことができる。同時に、前記コアボード４１０は前記第２モーター３５０を起動する。そして、前記伝達ロッド３４０を回動するように駆動し、前記スター部材３７１も伴って同期的に回動する。前記分離溝３６０が前記第２スルーホール１６０と対向する時、前記分離溝３６０に格納した食品は、前記トレイ漏斗３３０を通して滑り落ち、ペットへの奨励的な給餌を実現する。
【００２５】
以上は、具体的な好ましい実施形態を組み合わせた本考案のさらなる詳細な説明であり、本考案の具体的な実施がこれらの説明に限定されている認定してはならない。本考案の技術分野に属する当業者であれば、本考案の主旨から逸脱しない限り、その構築形態は柔軟で多様であり得、一連の製品を派生することができる。いくつかの簡単な推定又は取替だけでは、本考案の提供する実用新案登録請求の範囲に属するとみなすべきである。
【符号の説明】
【００２６】
１００…ハウジング、１１０…切欠き、１２０…凹溝、１３０…盤フタ、１４０…ホーン孔、１５０…第１スルーホール、１６０…第２スルーホール、２００…回転ユニット、２１０…撮影モジュール、２２０…レーザーペン、２３０…回転モジュール、２３１…回転ケース、２３２…第１モーター、２３３…タッチスイッチ、３００…給餌ユニット、３１０…分離トレイ、３２０…カバープレート、３３０…トレイ漏斗、３４０…伝達ロッド、３５０…第２モーター、３６０…分離溝、３７０…制御モジュール、３７１…スター部材、３７２…検知部材、４００…制御ユニット、４１０…コアボード、４２０…制御ボード、４３０…移動端末、５００…ホーン、６００…充電ポート、７００…電源表示灯、８０…電源スイッチ。
【図１】
0003221940.tif 000003
【図２】
0003221940.tif 000004
【図３】
0003221940.tif 000005